(57)【要約】複数のパッケージ層、複数のパッケージ層へ結合された放射線遮へい蓋またはベースを含み、回路ダイが、回路ダイの全許容線量よりも多い放射線量から遮へいされる高信頼性放射線遮へい集積回路デバイス。高信頼性応用で使用される集積回路デバイス。集積回路デバイスは、高度に信頼できるように設計され、放射線、機械力、熱への露出、または化学的汚染に起因して集積回路ダイが故障するか信頼性を失わないように、集積回路ダイを保護する。
2007531981.tif 000002
【特許請求の範囲】
【請求項１】
回路パッケージ、該回路パッケージに結合された放射線遮へいベース、および該放射線遮へいベースに結合された回路ダイを含む複数のパッケージ層と、
該複数のパッケージ層に結合された放射線遮へい蓋と、
を具備する放射線遮へい集積回路デバイスであって、
前記回路ダイが、回路ダイの全許容線量よりも多い放射線量から遮へいされ、
前記複数のパッケージ層は相互に積み重ねられて、第１のパッケージ層の下部が第２のパッケージ層の上部として作用する、放射線遮へい集積回路デバイス。
【請求項２】
前記放射線遮へいベースに結合された基板と、
前記基板に結合された複数の回路ダイと、
を更に具備する、請求項１に記載の放射線遮へい集積回路デバイス。
【請求項３】
前記複数の回路ダイを前記放射線遮へいベースに結合する複数の熱バイアを更に前記基板内に具備する、請求項２に記載の放射線遮へい集積回路デバイス。
【請求項４】
更に、前記複数の放射線遮へいベースの第１のものを、前記複数の放射線遮へいベースの第２のものに結合する熱接続を前記複数のパッケージ層間に具備する、請求項２に記載の放射線遮へい集積回路デバイス。
【請求項５】
複数の放射線遮へいベースの第１のものが、放射線遮へい集積回路デバイスのヒートシンクとして作用する、請求項２に記載の放射線遮へい集積回路デバイス。
【請求項６】
前記複数のパッケージ層には、はんだボールの１つが取り付けられ、はんだペースト上で覆う、請求項１に記載の放射線遮へい集積回路デバイス。
【請求項７】
前記放射線遮へい蓋が高Ｚ材料である、請求項１に記載の放射線遮へい集積回路デバイス。
【請求項８】
前記放射線遮へいベースが高Ｚ材料である、請求項１に記載の放射線遮へい集積回路デバイス。
【請求項９】
前記放射線遮へいベースがヒートシンクとして作用する、請求項１に記載の放射線遮へい集積回路デバイス。
【請求項１０】
前記放射線遮へい蓋が高Ｚ材料および低Ｚ材料を具備する、請求項１に記載の放射線遮へい集積回路デバイス。
【請求項１１】
前記放射線遮へいベースが高Ｚ材料および低Ｚ材料を具備する、請求項１に記載の放射線遮へい集積回路デバイス。
【請求項１２】
回路パッケージ、および該回路パッケージに結合された放射線遮へい蓋を含む複数のパッケージ層と、
前記回路パッケージに結合された回路ダイと、
前記複数のパッケージ層に結合された放射線遮へいベースと、
を具備する放射線遮へい集積回路デバイスであって、
前記回路ダイが、回路ダイの全許容線量よりも多い放射線量から遮へいされ、
前記複数のパッケージ層が相互に積み重ねられる、放射線遮へい集積回路デバイス。
【請求項１３】
前記回路パッケージに結合された基板と、
前記基板に結合された複数の回路ダイと、
を更に具備する、請求項１２に記載の放射線遮へい集積回路デバイス。
【請求項１４】
前記基板を前記回路パッケージに接続する複数のはんだボールを更に具備する、請求項１３に記載の放射線遮へい集積回路デバイス。
【請求項１５】
前記複数のパッケージ層がはんだボールによって取り付けられる、請求項１２に記載の放射線遮へい集積回路デバイス。
【請求項１６】
前記放射線遮へい蓋が高Ｚ材料である、請求項１２に記載の放射線遮へい集積回路デバイス。
【請求項１７】
前記放射線遮へいベースが高Ｚ材料である、請求項１２に記載の放射線遮へい集積回路デバイス。
【請求項１８】
前記放射線遮へいベースがヒートシンクとして作用する、請求項１２に記載の放射線遮へい集積回路デバイス。
【請求項１９】
前記複数のパッケージ層が気密封止される、請求項１２に記載の放射線遮へい集積回路デバイス。
【請求項２０】
前記放射線遮へい蓋が高Ｚ材料および低Ｚ材料を具備する、請求項１２に記載の放射線遮へい集積回路デバイス。
【請求項２１】
前記放射線遮へいベースが高Ｚ材料および低Ｚ材料を具備する、請求項１２に記載の放射線遮へい集積回路デバイス。
【請求項２２】
集積回路デバイスを遮へいする方法であって、
第１の放射線遮へいベース、第１のパッケージ、および第１の回路ダイを含む第１のパッケージ層を形成し、
第２の放射線遮へいベース、第２のパッケージ、および第２の回路ダイを含む第２のパッケージ層を形成し、
前記第１のパッケージ層の下部を前記第２のパッケージ層の上部に結合し、
前記第１のパッケージ層に蓋を結合する、
ことを含む、方法。
【請求項２３】
高Ｚ材料から前記蓋を形成することを更に含む、請求項２２に記載の集積回路デバイスを遮へいする方法。
【請求項２４】
高Ｚ材料から前記第１の放射線遮へいベースおよび前記第２の放射線遮へいベースを形成することを更に含む、請求項２２に記載の集積回路デバイスを遮へいする方法。
【請求項２５】
前記第１の回路ダイが、前記第１の回路ダイの全許容線量よりも少ない放射線量を受け取る、請求項２２に記載の集積回路デバイスを遮へいする方法。
【請求項２６】
前記第２の回路ダイが、前記第２の回路ダイの全許容線量よりも少ない放射線量を受け取る、請求項２２に記載の集積回路デバイスを遮へいする方法。
【請求項２７】
回路パッケージ、該回路パッケージに結合された熱伝導ベース、および該熱伝導ベースに結合された回路ダイを含む複数のパッケージ層を具備する高密度回路パッケージであって、
前記回路ダイが、熱バイアを介して前記熱伝導ベースへ結合される、回路パッケージ。
【請求項２８】
前記熱伝導ベースに結合された熱層コネクタを更に具備する、請求項２７に記載の回路パッケージ。
【請求項２９】
前記回路ダイがメモリを含む、請求項２８に記載の回路パッケージ。
【請求項３０】
前記熱伝導ベースが放射線遮へい材料を含む、請求項２７に記載の回路パッケージ。
【請求項３１】
前記回路ダイが、回路ダイの全許容線量よりも多い放射線量から遮へいされる、請求項３０に記載の回路パッケージ。
【請求項３２】
複数の層の上部に結合された熱伝導蓋を更に具備する、請求項２７に記載の回路パッケージ。
【請求項３３】
前記回路パッケージがセラミックを含む、請求項２７に記載の回路パッケージ。
【請求項３４】
集積回路デバイスを遮へいする方法であって、
第１の放射線遮へい蓋、第１のパッケージ、および第１の回路ダイを含む第１のパッケージ層を形成し、
第２の放射線遮へい蓋、第２のパッケージ、および第２の回路ダイを含む第２のパッケージ層を形成し、
前記第１のパッケージ層の上部を前記第２のパッケージ層の下部に結合し、
前記第１のパッケージ層にベースを結合する、
ことを含む、方法。
【請求項３５】
高Ｚ材料から前記ベースを形成することを更に含む、請求項３４に記載の集積回路デバイスを遮へいする方法。
【請求項３６】
高Ｚ材料から前記第１の放射線遮へい蓋および前記第２の放射線遮へい蓋を形成することを更に含む、請求項３４に記載の集積回路デバイスを遮へいする方法。
【請求項３７】
前記第１の回路ダイが、第１の回路ダイの全許容線量よりも少ない放射線量を受け取る、請求項３４に記載の集積回路デバイスを遮へいする方法。
【請求項３８】
前記第２の回路ダイが、第２の回路ダイの全許容線量よりも少ない放射線量を受け取る、請求項３４に記載の集積回路デバイスを遮へいする方法。
【請求項３９】
パッケージの異なった層の中にある複数の集積回路ダイを放射線から保護する高信頼性パッケージを作る方法であって、
パッケージの第１の層の中に第１の回路ダイを配置するステップと、
前記第１の回路ダイの全許容線量よりも多い放射線量から蓋を介して第１の回路ダイを十分に遮へいするため、該パッケージの第１の層のために蓋を提供するステップと、
該パッケージの内部層の中に第２の回路ダイを配置するステップと、
該第２の回路ダイの全許容線量よりも多い放射線量から蓋および内部遮へい層を介して第２の回路ダイを遮へいするため、蓋および内部遮へい層の遮へいが十分となるように内部パッケージのために内部遮へい層を提供するステップと、を含む方法。
【請求項４０】
前記第１の回路ダイが、前記第２の回路ダイの全許容線量よりも大きい全許容線量を有する、請求項３９に記載の方法。
【請求項４１】
前記パッケージの上にベースを置くことを更に含む、請求項３９に記載の方法。
【請求項４２】
高密度回路パッケージを作る方法であって、
回路パッケージ、該回路パッケージに結合された熱伝導ベース、および該熱伝導ベースに結合された回路ダイを含む複数のパッケージ層を形成し、
熱バイアを介して前記熱伝導ベースに前記回路ダイを結合する、
ことを含む方法。
【請求項４３】
前記複数のパッケージ層の１つに熱伝導蓋を結合することを更に含む、請求項４２に記載の方法。
【請求項４４】
前記回路ダイがメモリである、請求項４２に記載の方法。
【請求項４５】
銅−タングステンから前記熱伝導ベースを形成することを更に含む、請求項４２に記載の方法。
【請求項４６】
高密度回路パッケージを作る方法であって、
熱伝導ベースを第１のパッケージ層に結合し、
第１の回路ダイを前記熱伝導ベースに結合し、
第２のパッケージ層を前記第１のパッケージ層に結合し、
第２の回路ダイを前記熱伝導ベースに結合する、
ことを含む方法。
【請求項４７】
前記第１のパッケージ層と前記第２のパッケージ層との間に熱伝導層を結合することを更に含む、請求項４６に記載の方法。
【請求項４８】
熱バイアを使用して前記熱伝導層を前記熱伝導ベースに結合することを更に含む、請求項４７に記載の方法。
【請求項４９】
熱伝導蓋を前記第２のパッケージ層に結合することを更に含む、請求項４７に記載の方法。
【請求項５０】
熱バイアを使用して前記熱伝導蓋を前記熱伝導層に結合することを更に含む、請求項４９に記載の方法。
【発明の詳細な説明】
【技術分野】
【０００１】
本発明は、一般的には集積回路に関する。更に具体的には、限定的ではなく、本発明は、放射線、例えば電離放射線から集積回路を遮へいすることを含む高信頼性集積回路パッケージングに関する。
【背景技術】
【０００２】
集積回路デバイスが使用される様々な応用は、消費者用の応用では普通に存在しない集積回路デバイスを要求する。例えば、宇宙衛星の応用では、多くの場合、集積回路ダイの全許容線量を超過する放射線量へ集積回路ダイを露出させる結果となるレベルで、宇宙環境に電離放射線が存在する。その結果、集積回路ダイは損傷を受けるか、不適正なパフォーマンスを示し、例えばパラメータ性能にドリフトを生じるか機能しなくなる。こうして、集積回路デバイスは信頼できないものとなる。
【０００３】
更に、集積回路デバイス内の過剰な熱の蓄積は、集積回路ダイの温度動作範囲を超える温度で集積回路ダイを動作させる結果となり、これは転じて集積回路ダイに損傷を与えるか、例えば誤りを生成して、集積回路ダイの信頼できない性能を生じる可能性がある。
【０００４】
同時に、宇宙へ送られる集積回路デバイスは、地球からの宇宙船発射、宇宙内の展開、および可能性として一度展開された後のインパクト関連外傷に対して生き残るため、十分ロバストでなければならない。結果として、宇宙で使用される集積回路デバイスは、集積回路ダイの全許容線量を超過する電離放射線へ集積回路ダイを露出させないメカニズムを提供するか、そのようなメカニズムと組み合わせて使用されなければならないだけでなく、集積回路ダイの温度をその温度動作範囲内に維持するメカニズムを提供するか、そのようなメカニズムと組み合わせて使用されなければならず、同時に、集積回路パッケージの機械的ロバストネスを維持または増加しなければならない。
【０００５】
宇宙へ送られる集積回路デバイスの他の重要な態様は、そのような集積回路デバイスが、地球から宇宙、例えば地球の軌道へ発射される集積回路デバイスに固有の重量制限を満たすように十分軽量でなければならないことである。したがって、集積回路ダイの全許容線量を超過する電離放射線へ集積回路ダイが露出されないようにするメカニズムの必要性、集積回路ダイの温度をその動作範囲内に維持するメカニズムの必要性、および機械的ロバストネスの要件に対処するに当たり、宇宙環境で使用される集積回路デバイスは軽量でなければならない。
【０００６】
したがって、多くの放射線環境では、集積回路ダイは信頼性をもって機能するために放射線から遮へいされなければならない。例えば、前述したように、宇宙環境では、集積回路ダイは、例えば電離放射線から遮へいされなければならず、さもなければ回路は信頼性をもって機能することはできない。更に、集積回路ダイは、例えばＸ線から遮へいされる必要がある。Ｘ線は回路ダイを損傷し、回路ダイの故障または信頼できない機能の原因となる。宇宙環境では、点検修理、例えば故障したか信頼性を失った部品の取り替えは非常にコストがかかるか、全く不可能である。したがって、宇宙環境で使用される集積回路ダイは、信頼性をもって機能するため電離放射線およびＸ線放射の１つまたは双方から遮へいされなければならない。
【０００７】
常に、宇宙のような高放射線環境で使用するため集積回路ダイをパッケージするとき、パッケージのサイズおよび重量は、宇宙発射における固有の重量制限、および重量と電子回路デバイスがさらされる慣性機械力との関係に起因して、大きな関心事となる。したがって、非常にかさばるか重い集積回路デバイスは、集積回路デバイスが使用されるシステムの発射にコストをかけるだけでなく、多分もっと重要なことに、集積回路デバイスの信頼性を減少する。例えば、集積回路デバイス内のはんだ継手、例えば集積回路デバイスを回路基板へ接続するはんだ継手、または集積回路デバイス・パッケージの蓋を固定するはんだ継手に、部品の重量が多くの応力を生じるので、集積回路デバイスは信頼性を失うかも知れない。したがって、集積回路デバイスの重量の減少は、集積回路デバイスを軽くしてシステムの重量を減少するだけでなく、はんだ継手に少ない応力を生じさせて、集積回路デバイス、およびそれが使用されるシステムの信頼性を増加させることで、集積回路デバイスの利点となる。
【０００８】
これまで、マルチチップ・モジュールは、パッケージおよび単層集積回路デバイス・パッケージ内の複数集積回路ダイを含む集積回路デバイスを提供した。マルチチップ・モジュールは、そのパッケージの内部、外部、または双方でマルチチップ・モジュール内の複数集積回路ダイの最も敏感なものを遮へいする十分な遮へい材料を必要とする。それは、マルチチップ・モジュール内の最も敏感な集積回路ダイの信頼性を確保するためである。この遮へい量を有効にするために必要な遮へい材料の量は、以下で詳細に説明するように、許容できないほどの重い重量を生じるだけでなく、許容できないほどの高いコストを生じる。
【０００９】
更に、マルチチップ・モジュール（またはシングルチップ集積回路デバイス）内の外部遮へい材料の量は、特に集積回路デバイスが、敏感な集積回路ダイおよび／または厳しい宇宙環境のために設計されるとき、集積回路パッケージの蓋と集積回路パッケージの側壁またはベースとの間で実現される気密封止の首尾一貫性を大きく減少する。必要となる遮へい材料の量、例えば厚さが大きくなるにつれて、蓋と側壁またはベースとの間で気密封止を達成する製造プロセスの能力は小さくなる。その理由は、遮へい材料が、マルチチップ・モジュール（またはシングルチップ集積回路デバイス）内で集積回路ダイの遮へいを提供することに加えて、ヒートシンクとしても働き、蓋と側壁またはベースとの間で気密封止を達成するために使用されるはんだ付けプロセスに影響を与えるためである。しかし、蓋と側壁またはベースとの間の気密封止は重要である。なぜなら、そのような気密封止は、水分および他の化学汚染物質が集積回路デバイスへ侵入して集積回路ダイを劣化させ、集積回路デバイスの故障または集積回路デバイスの信頼性の低下を生じさせるのを防止するからである。
【００１０】
気密封止を達成する能力も、集積回路デバイス・パッケージのサイズが増加するにつれて減少する。蓋で使用されるような遮へい材料、および集積回路デバイス・パッケージの側壁および／またはベースで使用される材料は、使用される材料に依存して、熱変動に応答して或る率で膨張および収縮する。蓋と側壁またはベースとの間の封止部の長さが増加するにつれて、蓋対側壁またはベースの熱変動に応答する膨張または収縮量の間の差分は増加する。これは、蓋と側壁またはベースとの間のインタフェースにゆがみを生じ、これは転じて、気密封止を達成する製造プロセスの能力を減少する。なぜなら、そのようなインタフェースにおける応力および変形が増加するからである。前述したように、密封性の欠乏を達成するこの無能力は望ましくない。
【００１１】
当業者によって容易に分かるように、前述した問題は、宇宙環境で使用するために設計された集積回路デバイスの属性であるが、他の環境でも同様に存在する。したがって、以下で説明される実施形態は、宇宙の応用を超えて多くの応用を有することが分かるであろう。例えば、熱（ヒート）の散逸は、高容積、高密度デバイスにおける大きな問題である。本明細書で説明される実施形態は、熱の散逸に関して既知のデバイスへ顕著な改善を提供する。
【００１２】
具体的には、大量のメモリおよび他の高容積集積回路デバイスの必要性が、複雑性、処理能力、およびプロセッサ・ビットの増加と共に増加するにつれて、コンパクトなメモリ記憶デバイス、および他の高容積および高密度集積回路デバイスの必要性が増加した。大量の回路、例えば高容積メモリ・モジュールは大量の熱を生成し、これは終局的には高容積メモリ・モジュールの故障または信頼性喪失の原因となる。高容積、高密度のメモリ・モジュールをパッケージする従来のアプローチは、プラスチック・パッケージの中で多数のメモリ・チップを相互に積み重ねることを含む。メモリ・チップの伝統的プラスチック・パッケージングは、高信頼性、高容積、高密度メモリ・モジュールのために十分な熱散逸を提供しない。十分に熱を散逸する能力の欠如は、集積回路デバイスを大型にし、回路密度を減少させることになる。更に、熱を散逸する能力の欠如は、集積回路デバイスの故障または非信頼性を導く。
【００１３】
したがって、上記で明瞭に説明した多数の問題および他の問題に対処するため、改善された集積回路デバイスおよび方法に対する必要性が存在する。
【発明の開示】
【発明が解決しようとする課題】
【００１４】
様々な実施形態において、本発明は、高度に信頼できる多層集積回路デバイスを提供することによって、上記で明瞭に説明した必要性および他の必要性に対して有利に対処する。
【課題を解決するための手段】
【００１５】
１つの実施形態において、本発明は、放射線遮へい集積回路デバイスを含む。このデバイスは、回路パッケージ、回路パッケージへ結合された放射線遮へいベース、放射線遮へいベースへ結合された回路ダイを含む複数のパッケージ層と、複数のパッケージ層へ結合された放射線遮へい蓋と、複数のピン・コネクタとを含み、回路ダイは、回路ダイの全許容線量よりも多い放射線量から遮へいされ、複数のパッケージ層が相互に積み重ねられて、第１のパッケージ層の下部が第２のパッケージ層の上部として作用するようになっている。
【００１６】
他の実施形態において、本発明は、放射線遮へい集積回路デバイスとして特徴づけられる。このデバイスは、回路パッケージを含む複数のパッケージ層と、回路パッケージへ結合された放射線遮へい蓋と、回路パッケージへ結合された回路ダイと、複数のパッケージ層へ結合された放射線遮へいベースと、複数のピン・コネクタとを含み、回路ダイは、回路ダイの全許容線量よりも多い放射線量から遮へいされ、複数のパッケージ層が相互に積み重ねられている。
【００１７】
更に他の実施形態において、本発明は、有利には、集積回路デバイスを遮へいする方法を含む。この方法は、第１の放射線遮へいベース、第１の回路パッケージ、および第１の回路ダイを含む第１のパッケージ層を形成し、第２の放射線遮へいベース、第２の回路パッケージ、および第２の回路ダイを含む第２のパッケージ層を形成し、第１のパッケージ層の下部を第２のパッケージ層の上部へ結合し、第１のパッケージ層へ蓋を結合することを含む。
【００１８】
本発明は、添付の図面で例として説明され、限定としては説明されない。図面において、同様の参照符号は類似の要素を示す。
【００１９】
熟練した技工は、図面内の要素が簡単および明瞭を目的として図示され、必ずしも実物の比率に従って描かれてはいないことを理解するであろう。例えば、図面内の幾つかの要素の寸法は他の要素に対して誇張されているかも知れない。それは本発明の実施形態の理解を向上させるためである。
【発明を実施するための最良の形態】
【００２０】
有利には、本発明は、様々な実施形態において、高信頼性集積回路デバイス、およびそのための集積回路デバイス・パッケージを提供する。本実施形態は、電離放射線、Ｘ線放射、機械力、熱的故障、および化学汚染物質の少なくとも１つから集積回路デバイス・パッケージ内の集積回路ダイを保護する集積回路デバイス・パッケージを提供する。更に、様々な実施形態は、高製造歩留まりを有する高信頼性集積回路デバイス・パッケージを提供することができる。
【００２１】
幾つかの実施形態において、本発明は宇宙環境に見出される放射線から複数の集積回路ダイを保護する放射線遮へいデバイスおよび方法を提供する。集積回路ダイとの接触する放射線は、集積回路ダイを故障させるか信頼性を損なう可能性がある。放射線遮へいは、集積回路デバイス・パッケージ内の複数の集積回路ダイの各々の全許容線量よりも多い放射線量から複数の集積回路ダイを遮へいする。幾つかの実施形態において、複数の集積回路ダイの幾つかについては、同じ集積回路デバイス・パッケージ内の他の集積回路ダイと比較して、より高い遮へい量が必要であろう。有利には、本実施形態は、多数の遮へい層を有する集積回路デバイス・パッケージを提供する。その場合、パッケージ内の他の集積回路ダイと比較して比較的大きな遮へい量を必要とする集積回路ダイは、集積回路パッケージの中心に近く置かれたとき、そのような集積回路ダイを放射線から保護する多数の遮へい層を有する。これは、複数の集積回路ダイの各々の全許容線量よりも多い放射線量から複数の集積回路ダイを保護する高信頼性集積回路デバイス・パッケージを提供するが、既知のアプローチの重量またはサイズ（フットプリント）「価格」を支払うことはない。各々の集積回路ダイは、各々の全許容線量よりも多い放射線量から保護されるので、集積回路デバイスは放射線環境、例えば宇宙環境で高度の信頼性がある。
【００２２】
他の実施形態において、本発明は、大量の熱を生成する集積回路ダイが組み込まれた集積回路デバイス・パッケージおよび方法を提供する。有利には、これらの実施形態の集積回路デバイス・パッケージはヒートシンクとして働き、したがって集積回路ダイが、高動作温度に起因して故障するか信頼性を失うことがないようにする。一般的に、高温は集積回路ダイ自身から生じるが、外部温度も高温に寄与する。
【００２３】
有利には、本実施形態は、集積回路ダイ、例えば大量のメモリによって生成された熱を散逸することのできる高容積、高密度メモリ・モジュールを提供する。本実施形態は、集積回路デバイス・パッケージの蓋およびベースの少なくとも１つを熱導体として使用することによって、熱を散逸することができる。本実施形態は、大量の熱を散逸するが、他の多層デバイスと比較して回路基板上で比較的小さい空間を占める。
【００２４】
多層デバイスは、一般的に、プラスチック・パッケージング内にパッケージされた集積回路のグループであって、集積回路は相互に積層され、例えばメモリ・モジュールとして販売される。プラスチック・ケーシングは、ヒートシンクとして有効でないから、これらのパッケージが熱を効果的に散逸するため、本実施形態と比較して比較的多量の熱導体が必要である。本実施形態において、蓋および／またはベースは熱伝導材料から作られる。したがって、熱伝導性ベースおよび／または蓋は、集積回路デバイス・パッケージの上部／最下に存在するだけでなく、集積回路デバイスの各々の層の間（あるいは、少なくとも２つの層の間）にも存在する。結果として、熱は、集積デバイス・パッケージの上方および下方からだけでなく集積回路デバイスの層の間からも、熱導体を介して散逸する。したがって、熱伝導性ベースおよび／または蓋は、プラスチック・パッケージングに格納されたメモリ・モジュールと比較して大量の熱散逸を可能にし、したがって熱の散逸に必要な熱導体は小さくなり、多層デバイスは軽くコンパクトになる。
【００２５】
コンパクトになった多層デバイスの他の利点は、増加した回路密度を提供することである。増加した回路密度が望ましいのは、非常に短いトレースを有する回路デバイスが、一般的に、長いトレースを有するデバイス、またはプリント回路基板上のトレースで接続された多くの離散的コンポーネントを有するデバイスよりも、高速で信頼できる性能を有するからである。トレースが短ければ、それだけ電磁結合は小さくなり、回路トレース問題の可能性が少なくなる。したがって、本実施形態のコンパクトになった多層デバイスは、短くなったトレースの使用を可能にするので、本実施形態の多層デバイスは、従来技術のデバイスよりも信頼できる。
【００２６】
有利には、本実施形態は高い熱散逸を提供し、同時に同量のメモリを含む単層パッケージと比較して、パッケージのサイズおよび重量を減少する。層を積み重ねることによって、蓋およびベースのサイズは共に大きく減少する。その理由は、集積回路ダイが相互に隣接するか並べて配置されるのではなく相互に重ねて置かれるからであり、したがって占める面積は小さくなり、蓋およびベースは小さくなる。サイズの減少は、更に、大きな重量節減を提供する。なぜなら、幾つかの実施形態において、蓋およびベースは非常に稠密な材料であり、したがって使用される材料の面積の減少は、大量の重量減少に対応するからである。これは、小さくなったデバイスを提供し、同時に依然として、十分な熱伝導性材料が蓋および／またはベースに使用されて、熱を効果的に散逸する。幾つかの実施形態において、デバイスの各々の層は熱バイア（熱伝導性接続）を介して蓋および／またはベースへ接続される。これは集積回路デバイス・パッケージの全ての層の適切な熱散逸を可能にする。更なる実施形態において、集積回路デバイスは基板レベルヒートシンクまたはシステムヒートシンクへ熱的に接続され、更なる熱散逸を可能にする。したがって、本実施形態は、有利には、熱を散逸し、同時に、同量のメモリを含む単層パッケージと比較してパッケージの容積および／またはパッケージの面積（フットプリント）を大きく減少することのできるメモリ・モジュールを提供する。１つの好ましい実施形態において、蓋／またはベースは、銅−タングステンから作られる。一般的に、放射線遮へいに必要な銅−タングステンの量は、熱散逸要件を満足させる。
【００２７】
有利には、本実施形態の集積回路デバイス・パッケージは、更に、匹敵するメモリ量を保持するように設計された単層従来技術パッケージ設計よりも良好な製造歩留まりを有する。製造歩留まりに寄与する１つの大きなものは、蓋と側壁またはベースまたは集積回路パッケージとの間で気密封止を達成する能力である。気密封止を達成する能力は、封止部の長さに指数的に関連する。その理由は、蓋と側壁またはベースに使用される材料の間のインタフェースが、使用される材料に依存して所定の率で歪むためである。あまりに多くの歪みが所定の点に存在し、そのインタフェースでのはんだの完全性は、そのような歪みを起こす力のもとで失われる。結果として、インタフェースの密封性が危うくなる。（これは、はんだ付けプロセスの間に、相互に対して同じレベルになることができない材料にも起因する。）本明細書で説明される実施形態と同量のメモリを有する単層デバイスは、本実施形態の蓋よりも大きな蓋、即ち長い辺の蓋を有する。したがって、単層デバイスの蓋は、密封性の喪失に起因して故障を生じるゆがみ量を有する可能性が大きい。したがって、本実施形態のデバイスは、集積回路パッケージの蓋と側壁またはベースとの間に一貫した気密封止を形成する。これは、本明細書で説明される実施形態の製造歩留まりを増加させる。
【００２８】
更に他の実施形態において、複数の集積回路ダイの各々の全許容線量よりも多い放射線量からパッケージの異なった層の中の複数の集積回路ダイを保護する高信頼性パッケージ設計が提供される。本実施形態によれば、パッケージ設計の異なった層の上の集積回路ダイは、異なった全許容線量を有することができるが、それら集積回路ダイの全許容線量よりも多い放射線量から保護可能である。最小の全許容線量を有する集積回路ダイは、集積回路デバイス・パッケージの（パッケージの蓋およびベースから最も遠い）内部層に置かれる。これは、敏感な集積回路ダイが敏感な集積回路ダイの全許容線量を超過する電離放射線へ露出されるのを防止する十分な遮へいで敏感な集積回路ダイを遮へいするのに十分な多数の遮へい層を敏感な集積回路ダイに提供し、同時に、多くの集積回路ダイはこの同じ遮へい量を必要としないので、全ての集積回路ダイを同じ程度に遮へいすることはない。これは、異なった全許容線量を有する複数の集積回路ダイであって、そのような全許容線量の関数として選択された異なる量で遮へいされる複数の集積回路ダイを格納する高信頼性集積回路デバイスを提供する。結果として、より軽量であり、より小さな面積を有し、より密封性があり、より信頼性のある集積回路デバイスが提供される。
【００２９】
本発明によれば、複数の集積回路ダイの各々の全許容線量よりも多い放射線量からパッケージの異なった層の複数の集積回路ダイを保護する高信頼性パッケージ設計を作る例示的方法が提供される。最初に、複数の回路ダイの全許容線量が決定される。第２に、高信頼性パッケージ設計内の複数の回路ダイの位置が決定される。一般的に、最大の全許容線量を有する回路が、パッケージの上部層および下部層の上に置かれる。そして、最大の全許容線量を有する回路ダイが、その全許容線量よりも多い放射線量から遮へいされるように、蓋およびベースが材料の適正な量およびタイプを選択される。次に、より小さな全許容線量を有する回路ダイが、パッケージの内部層の１つの上に置かれる。そして、内部遮へい層が、蓋およびベースに使用される材料のタイプおよび量を考慮に入れて選択される。より小さな全許容線量を有する回路ダイが、他の遮へい層を考慮に入れながら、その全許容線量よりも多い放射線量から遮へいされるように、内部遮へい層の量およびタイプが選択される。このプロセスは、全ての残りの回路ダイについて繰り返される。一般的に、集積回路ダイが故障するか信頼できなくなることを防止するのに必要な遮へい量を全遮へい層の集合が提供するように、より敏感な回路ダイがパッケージの内部層の上に置かれる。したがって、本実施形態によれば、複数の回路ダイのパッケージを設計する方法が提供される。ここで、幾つかの回路ダイは、異なった全許容線量を有してよい。
【００３０】
実施形態によれば、パッケージの設計は、例えば宇宙、軍事、および他の高信頼性消費者応用における高信頼性動作部品となるように設計されることを理解すべきである。
【００３１】
図１を参照すると、遮へいパッケージは、複数の電子回路ダイを放射線から遮へいするように設計された複数層へ分離して示される。放射線遮へい蓋１０２、第１の層１０４、第２の層１０６、第１の遮へいベース１０８、第２の遮へいベース１１０、第１の基板１１２、第２の基板１１４、第１の複数の回路ダイ１１６、第２の複数の回路ダイ１１８、第１の回路パッケージ１２０、第２の回路パッケージ１２２、第１の複数の導体１２４、第２の複数の導体１２６、および複数のパッケージ・リード１２８が示される。
【００３２】
図１には、放射線遮へい蓋１０２、第１の層１０４、第２の層１０６、第１の遮へいベース１０８、第２の遮へいベース１１０、第１の基板１１２、第２の基板１１４、第１の複数の集積回路ダイ１１６、第２の複数の集積回路ダイ１１８、第１の回路パッケージ１２０、第２の回路パッケージ１２２、第１の複数の導体１２４、第２の複数の導体１２６、および複数のパッケージ・リードが示される。
【００３３】
放射線遮へい蓋１０２は第１の回路パッケージ１２０へ結合され、第１の遮へいベース１０８も第１の回路パッケージ１２０へ結合され、第１の基板１１２および第１の複数の回路ダイ１１６のためにキャビティを形成する。第１の複数の回路ダイ１１６は第１の基板１１２へ結合され、基板１１２は第１の遮へいベース１０８へ結合される。第１の遮へいベースは第２の回路パッケージ１２２へ結合される。第２の遮へいベース１１０は第２の回路パッケージ１２２へ結合されて、第２の基板１１４および第２の複数の回路ダイ１１８のためにキャビティを形成する。第２の複数の回路ダイ１１８は第２の基板へ結合され、該第２の基板は遮へいベース１１０へ結合される。複数のパッケージ・リード１２８も第２の遮へいベース１１０へ結合される。第１の複数の導体１２４および第２の複数の導体１２６は、それぞれ第１の複数の回路ダイ１１６および第２の複数の回路ダイ１１８へ電気的に接続される。第１の複数の導体１２４および第２の複数の導体１２６は、複数のパッケージ・リード１２８へ電気的に接続される。
【００３４】
次に図２を参照すると、複数の層が組立てられた後の、図１の集積回路デバイス・パッケージが示される。
【００３５】
放射線遮へい蓋１０２、第１の層１０４、第２の層１０６、第１の遮へいベース１０８、第２の遮へいベース１１０、第１の基板１１２、第２の基板１１４、第１の複数の回路ダイ１１６、第２の複数の回路ダイ１１８、第１の回路パッケージ１２０、第２の回路パッケージ１２２、第１の複数の導体１２４、第２の複数の導体１２６、複数のパッケージ・リード１２８、および複数のはんだボール１３０が示される。
【００３６】
放射線遮へい蓋１０２は第１の回路パッケージ１２０へ結合される。第１の遮へいベース１０８も第１の回路パッケージ１２０へ結合され、第１の基板１１２および第１の複数の回路ダイ１１６のためにキャビティを形成する。第１の複数の回路ダイ１１６は第１の基板１１２へ結合され、基板１１２は第１の遮へいベース１０８へ結合される。次に、第１の遮へいベース１０８は第２の回路パッケージ１２２へ結合される。複数のはんだボール１３０は、第１の回路パッケージ１２０を第２の回路パッケージ１２２へ結合するために使用される。第２の遮へいベース１１０は第２の回路パッケージ１２２へ結合されて、第２の基板１１４および第２の複数の回路ダイ１１８のためにキャビティを形成する。第２の複数の回路ダイ１１８は第２の基板１１４へ結合され、基板１１４は第２の遮へいベース１１０へ結合される。複数のパッケージ・リード１２８も第２の遮へいベース１１０へ結合される。第１の複数の導体１２４および第２の複数の導体１２６は、それぞれ第１の複数の回路ダイ１１６および第２の複数の回路ダイ１１８へ電気的に接続される。第１の複数の導体１２４および第２の複数の導体１２６も、複数のパッケージ・リード１２８へ電気的に接続される。
【００３７】
複数の層、例えば第１の層１０４および第２の層１０６を積み重ねて、集積回路デバイス・パッケージを形成することによって、集積回路デバイス・パッケージによって占拠される回路基板上の面積は、ただ１つの層を有するパッケージと比較して大きく減少する。パッケージの重量も大きく減少する。なぜなら、放射線遮へい蓋１０２、第１の遮へいベース１０８、および第２の遮へいベース１１０に使用される材料の量が、例えば３０％減少するからである。パッケージの重量は、同数の集積回路に使用される遮へい材料の量を減少することによって減少する。有利には、集積回路デバイスに必要な同等または匹敵する遮へい量を提供しながら、材料の量を減少することができる。遮へい材料の減少例は下記で与えられる。放射線遮へい蓋１０２、第１の遮へいベース１０８、および第２の遮へいベース１１０に使用される材料は非常に稠密であり、したがって３０％の重量減少は、パッケージの全体的重量減少にとって非常に有意である。重量減少のパーセンテージは、設計ごとに異なってよく、本発明は重量減少の或る一定のパーセンテージへ限定されるべきではない。
【００３８】
前述したように、多層集積回路パッケージの重量は、集積回路デバイス・パッケージに使用される遮へい材料の量を減少することによって減少することができる。例えば、４インチ×４インチの単層デバイスは、１１／２インチ×１１／２インチの測定値を有する４層デバイスとしてパッケージ可能である。これは、放射線遮へい蓋１０２および第２の放射線遮へいベース１１０に同じ厚さを使用するときでも、必要な遮へい材料の量を大きく減少する。例えば、単層デバイスは、遮へい材料を必要とする２つの表面、即ち上部と下部を有する。各々の表面は１６平方インチ（４インチ×４インチ）の面積を有する。したがって、遮へい材料の全量は、３２平方インチ（１６平方インチ＋１６平方インチ）である。４層デバイスの場合、５つの表面が遮へい材料を必要とする（ベース、蓋、および隣接層のベースおよび蓋として作用する３つの表面）。各々の表面は２．２５平方インチである（１．５インチ×１．５インチ）。したがって、４層デバイスの遮へい材料の全量は１１．２５平方インチ（２．２５平方インチ×５）である。したがって、節減される全量は、遮へい材料の２０．７５平方インチである（３２平方インチ  −  １１．２５平方インチ）。
【００３９】
より敏感な回路部品をパッケージの内部層に置くことによって、パッケージの重量を更に減少することができる。これは、より敏感な回路部品に、増加した遮へいを提供する。なぜなら、放射線は、回路ダイへ到達する前に、多数の遮へい材料層を通過しなければならないからである。これによって、パッケージの全体で遮へい層を薄くすることができ、したがってパッケージの重量を減少することができる。多層デバイスの内部層の厚さを減少できる理由は、放射線に対して遮へい材料の累積効果があるためである。遮へい材料は累積するように作用し、放射線が通過しないように妨げる。内部層は薄くてよい。なぜなら、内部層の上に置かれた集積回路ダイが、蓋およびベースによって提供された大きな遮へい量を既に有するからである。したがって、内部層は、単純に更に多くの遮へいを提供する。放射線の多くは蓋またはベースによって既に妨げられているので、集積回路ダイの全許容線量よりも多い放射線量から、内部層の上に置かれた集積回路ダイを遮へいするには、薄い層が必要なだけである。これは遮へい層の面積を減少しないが、多層パッケージの重量を更に減少する。
【００４０】
パッケージの重量を減少することに加えて、本発明の遮へいパッケージは、単層マルチチップ・モジュールと比較して、はるかに信頼できる。単層デバイスにおいて、デバイスの上部および下部は、パッケージ内の最も敏感な回路ダイのために十分な遮へいを提供しなければならない。したがって、最も敏感な回路ダイを放射線から保護するため、全体のパッケージは十分に厚い蓋１０２およびベース１１０を有しなければならない。これは、最も敏感な回路ダイが、最も敏感な回路ダイの全許容線量よりも多い放射線量を受け取らないように防止する。したがって、より敏感な回路ダイを内部層の上に置き、その回路ダイへ多層の遮へいを提供できる多層デバイスと比較して、単層パッケージは蓋およびベースの中に多くの遮へい材料を有する。蓋１０２内の遮へい材料の量が増加するにつれて、例えば、蓋１０２と第１の回路パッケージ１２０との間に気密封止を達成する能力は減少する。この理由は、蓋１０２を第１の回路パッケージ１２０へ取り付けるために使用されるはんだリフロー・プロセスと干渉するヒートシンクとして、蓋１０２が機能するからである。結果として、パッケージの密封性は危うくされる。なぜなら、蓋は第１の回路パッケージへ適切にはんだ付けされないからである。前述したように、もしパッケージの密封性が危うくされると、水分または他の化学物質が集積回路ダイと接触するようになり、集積回路ダイが故障したり信頼性を失う原因となる。したがって、多層デバイスは、単層デバイスよりも、はるかに信頼できる。なぜなら、パッケージの密封性が危うくされる可能性は、はるかに少ないからである。
【００４１】
したがって、本発明の集積回路パッケージ・デバイスは、集積回路パッケージ内の最も敏感な集積回路ダイを遮へいするため複数の層、即ち、放射線遮へい蓋１０２、第１の遮へいベース１０８、および第２の遮へいベース１１０の結合遮へい効果を使用することができるので、放射線遮へい蓋１０２、第１の遮へいベース１０８、および第２の遮へいベース１１０の厚さは、単層デバイスの蓋よりもはるかに薄くすることができ、したがって気密封止を達成するという問題を減少する。なぜなら、蓋は集積回路パッケージへ適正にはんだ付けされるからである。これは、本発明に従った高信頼性集積回路パッケージ・デバイスを達成する。
【００４２】
単層デバイスの放射線遮へいの厚さの増加（十分な遮へい量を提供するため）に伴う他の問題は、放射線遮へい蓋が、セラミック・パッケージへ付着する非常に稠密な材料から作られることである。放射線遮へい蓋が非常に厚いとき、それはセラミック・パッケージにクラックを作る傾向があり、気密封止を達成する能力が大きく減少する。放射線遮へい蓋が非常に厚いとき、遮へい材料は温度変化と共に膨張および収縮するので、セラミック・パッケージングに大きな力を働かせ、セラミック・パッケージングのクラック、したがって気密封止の故障の原因となる。蓋に使用される材料が多くなれば、それだけ多くの力がセラミック・パッケージングにかかる。したがって、多層デバイスを提供することによって、本発明は、放射線遮へい蓋１０２、第１の遮へいベース１０８、および第２の遮へいベース１１０のいずれをも非常に厚い層とする必要性を取り除く。なぜなら、放射線遮へい蓋１０２、第１の遮へいベース１０８、および第２の遮へいベース１１０の累積効果が、パッケージの内部層の１つの上に最も敏感な回路ダイを置くことによって、最も敏感な回路ダイを遮へいするからである。放射線遮へい蓋１０２、第１の遮へいベース１０８、および第２の遮へいベース１１０の厚さのこの減少は、セラミック・パッケージング上の圧力を減少し、セラミック・パッケージがクラックを作って、デバイスの故障および気密封止の故障の原因となる可能性を減少する。
【００４３】
多数の集積回路ダイを単層デバイスへ装着するため、単層デバイスが占拠する回路基板上の面積は、本発明の多層デバイスよりもかなり大きくなければならない。この理由は、各々の集積回路ダイが、基板へ付着する或る量の空間を必要するためである。もし多数の基板が相互に重ねて積層されるならば、各々の基板は、単層デバイスの単一基板よりも小さくなることができ、それでも依然として、全ての集積回路ダイを取り付けるための十分な面積を提供することができる。したがって、集積回路デバイス・パッケージの全体的面積は減少する。このように、実施形態は、回路基板上で、より小さい面積を占める集積回路デバイス・パッケージを提供する。
【００４４】
回路基板上で、より小さい空間を占めることに加えて、サイズの減少は、更に、同数の集積回路ダイを有する単層デバイスと比較して、多層デバイスの各々の辺の長さを減少する。多層デバイスの各々の辺の長さが減少するにつれて、集積回路パッケージと放射線遮へい蓋１０２との間の気密封止を得る能力は、指数的に増加する。これは、集積回路パッケージおよび放射線遮へい蓋１０２の特性に起因する。集積回路パッケージは、一般的に、セラミック材料から作られる。セラミックは３ミル／インチの率で歪み、したがって辺の長さが増加するにつれて、気密封止を確保する能力は指数的に減少する。したがって、パッケージが大きくなれば、それだけ製造歩留まりは低くなり、故障する部品は多くなる。したがって、多層デバイスを有することによって、パッケージの辺の長さは大きく減少し、はるかに信頼できるパッケージが作り出される。
【００４５】
本発明の１つの実施形態において、第１の層１０４は、第１の放射線遮へいベース１０８、第１の回路パッケージ１２０、第１の基板１１２、および第１の複数の回路ダイ１１６を含む。第２の層１０６は、第２の放射線遮へいベース１１０、第２の回路パッケージ１２２、第２の基板１１４、および第２の複数の回路ダイ１１８を含む。有利には、図２で示されるように、第１の層１０４の下部は、第２の層１０６の蓋を形成する。したがって、第１の放射線遮へいベース１０８は、第２の複数の回路ダイ１１８を放射線から遮へいするように作用する。有利には、遮へいパッケージへ追加層を容易に付加することができる。したがって、本発明は、２つを超える層で容易に製造可能である。もし追加層が望まれるのであれば、第１の層１０４と同じ他の層が、第１の層１０４の上部に置かれる。追加層は、第１の層の上部として作用するベースを有する。次に、放射線遮へい蓋が追加層の上に置かれ、全体のパッケージの最上部を形成し、ここで３層が存在する。２つ以上の層が存在するとき、放射線遮へい蓋１０２は、最上部層、例えば図２の第１の層１０４へ結合される。更に、複数のパッケージ・リード１２８は、最下部層、例えば図２の第２の層１０６へ結合される。代替として、複数のパッケージ・リード１２８を異なった層へ結合することができる。
【００４６】
放射線遮へい蓋１０２、第１の遮へいベース１０８、および第２の遮へいベース１１０は、第１の複数の回路ダイ１１６および第２の複数の回路ダイ１１８を放射線から遮へいする。第１の複数の回路ダイ１１６および第２の複数の回路ダイ１１８が、第１の複数の回路ダイ１１６および第２の複数の回路ダイ１１８の全許容線量よりも多い放射線量へ露出されないように、放射線遮へい蓋１０２、第１の遮へいベース１０８、および第２の遮へいベース１１０が設計される。そのような設計は、放射線遮へい蓋１０２、第１の遮へいベース１０８、および第２の遮へいベース１１０用に選択される材料、集積回路デバイス・パッケージが使用される宇宙（または他の放射線）環境、および遮へいされる集積回路ダイの各々の全許容線量に基づいて、放射線遮へい蓋１０２、第１の遮へいベース１０８、および第２の遮へいベース１１０の厚さを決定することによって達成される。
【００４７】
次に、図３を参照すると、放射線遮へい蓋１０２、第１の遮へいベース１０８、および第２の遮へいベース１１０の材料および厚さを決定する方法が示される。最初に、第１の複数の回路ダイ１１６および第２の複数の回路ダイ１１８の全許容線量が９００で決定される。このテストは、コバルト６０源または他の侵入放射線源によって達成可能である。個々の半導体デバイスについて、固有の放射線許容量がどれくらいかを知ることなしに、設計者は、どれくらいの遮へいが必要か、または遮へいが必要かを知ることができない。
【００４８】
第２に、第１の複数の回路ダイ１１６および第２の複数の回路ダイ１１８が露出される放射線環境が９０２で決定される。これは、応用の特定のミッションまたは放射線要件の放射線スペクトルおよび線量深さ曲線を決定することを含む。地球の周りの軌道については、これは通常の放射線スペクトル・テーブルと組み合わせた通常の放射線トランスポート・コードを使用して計算される。代替として、任意の公知の放射線環境をモデル化し、次に、モデル化された環境について、線量深さ曲線を作り出すことができる。
【００４９】
次のステップ９０４は、第１の複数の回路ダイ１１６および第２の複数の回路ダイ１１８が、決定された放射線環境において、第１の複数の回路ダイ１１６および第２の複数の回路ダイ１１８の全許容線量よりも多い放射線量へ露出されないように、放射線遮へい蓋１０２、第１の遮へいベース１０８、および第２の遮へいベース１１０の厚さおよび材料を決定することを含む。一度、第１の複数の回路ダイ１１６および第２の複数の回路ダイ１１８の全許容線量ならびに放射線環境の線量深さ曲線が知られると、第１の複数の回路ダイ１１６および第２の複数の回路ダイ１１８を許容量の中に置くために必要な遮へい量を決定することができる。したがって、第１の複数の回路ダイ１１６および第２の複数の回路ダイ１１８の全許容線量よりも多い放射線量から第１の複数の回路ダイ１１６および第２の複数の回路ダイ１１８を遮へいするように、放射線遮へい蓋１０２、第１の遮へいベース１０８、および第２の遮へいベース１１０が十分な厚さに設計される。本実施形態に従って遮へいの厚さを決定する適切なプロセスは、遮へい組成物の作成方法についてのＦｅａｔｈｅｒｂｙらの米国特許第６，２６１，５０８号で説明される。この米国特許は、その全体が記載されるかのごとく、参照して本明細書に組み込まれる。
【００５０】
本発明に従った他の方法は、前述したモデル化コードを使用して、線量対深さ曲線を生成することを含む。それによって、第１の複数の回路ダイ１１６および第２の複数の回路ダイ１１８の全許容線量レベルの下へ全線量レベルをもってくるのに必要な遮へい量が決定される。次に、全ての方向からの放射線量とそれら方向の各々から供給される遮へい量とを比較することによって、パッケージ遮へいが分析される。第１の複数の回路ダイ１１６および第２の複数の回路ダイ１１８における放射線は、パッケージ面積について正規化された全ての異なった角度の総和である。
【００５１】
有利には、放射線遮へい蓋１０２、第１の遮へいベース１０８、および第２の遮へいベース１１０は、高Ｚ材料、例えばオスミウム、イリジウム、白金、タンタル、金、およびタングステンから形成可能である。一般的に、５０以上の原子番号を有する任意の高Ｚ材料を使用してよい。更に好ましくは、原子番号の範囲は６０と１００との間であり、これらの番号を含む。原子番号の最も好ましい範囲は７３と７９との間であり、これらの番号を含む。
【００５２】
代替として、放射線遮へい蓋１０２、第１の遮へいベース１０８、および第２の遮へいベース１１０は、高Ｚ層および低Ｚ層を含む多層遮へい組成物から作ることができる。有利には、放射線遮へい蓋１０２、第１の遮へいベース１０８、および第２の遮へいベース１１０は、外部低Ｚ層と内部低Ｚ層との間に介在する高Ｚ層を含む多層遮へい組成物から作ることができる。この構成は、静止軌道に対して最適遮へい形状である。高Ｚ層は電子および制動放射線の防止に有効であり、低Ｚ材料は、陽子の防止に、より有効である。静止軌道は、トラップされた電子によって支配され、したがって高Ｚ層は２つの低Ｚ層よりも厚いことが好ましい。
【００５３】
低Ｚ層は、好ましくは、銅、ニッケル、炭素、チタン、クロム、コバルト、ホウ素、シリコン、鉄、および窒素から成る群から選択される。一般的に、３０以下の原子番号を有する任意の適切な低Ｚ材料が使用されてよいが、最も好ましい低Ｚ材料は、銅、ニッケル、炭素、鉄、チタン、シリコン、および窒素から成る群から選択される。このパッケージングは、更に、３次元マルチチップ・モジュールの放射線遮へいについての、Ｃｚｊａｋｏｗｓｋｉらの米国特許第６，２６２，３６２号に説明されている。この米国特許は、その全体が記載されるかのごとく、参照して本明細書に組み込まれる。１つの好ましい実施形態において、放射線遮へい蓋１０２、第１の遮へいベース１０８、および第２の遮へいベース１１０は、銅−タングステンから作られる。
【００５４】
放射線遮へいとして作用することに加えて、放射線遮へい蓋１０２、第１の遮へいベース１０８、および第２の遮へいベース１１０は、更に、遮へいパッケージ全体のヒートシンクとして作用する。これは、第１の複数の回路ダイ１１６および第２の複数の回路ダイ１１８が過熱して、第１の複数の回路ダイ１１６または第２の複数の回路ダイ１１８の故障原因とならないようにすることを助ける。代替の実施形態において、パッケージは、高信頼性部品、例えば軍事または航空産業の応用として使用されるように設計される。この実施形態において、放射線遮へい蓋１０２、第１の遮へいベース１０８、および第２の遮へいベース１１０は、主としてパッケージから熱を散逸するために使用され、したがって回路ダイは、回路ダイの特定の温度範囲内で動作できるようになる。この実施形態において、放射線遮へい蓋１０２、第１の遮へいベース１０８、および第２の遮へいベース１１０は、熱伝導性材料から作られる。パッケージ・デバイスが大量の放射線へ露出されない実施形態においては、放射線遮へい蓋１０２、第１の遮へいベース１０８、および第２の遮へいベース１１０は、熱伝導性材料から作られるだけでよい。熱伝導性材料の放射線遮へい特性は、放射線が関心事とならない環境では考慮する必要はない。
【００５５】
例えば、本発明の１つの実施形態は、１５ワットで動作する１２の回路ダイを格納するメモリ・モジュールを含む。本実施形態は、回路ダイが推奨温度範囲内で動作できるように、メモリ・モジュールによって生成された熱を散逸することのできる高信頼性部品を提供する。このデバイス・タイプの１つの例は、ＳＤＲＡＭメモリ・モジュールである。２５６メガビットＳＤＲＡＭダイを使用して、モジュールは１つの層で５００メガビットのメモリを提供することができ、したがって１つ、２つ、３つ、または４つの層を積み重ねることによって、それぞれ５００メガビット、１ギガビット、１．５ギガビット、および２ギガビットが可能となるが、必要な回路基板の空間を大きくすることはない。ｅｅｐｒｏｍダイの例では、１つ、２つ、３つ、または４つの層は、それぞれ８メガビット、１６メガビット、３２メガビット、および４８メガビットのメモリを提供することができる。一般的に、メモリは２つの層ごとに２倍となる。
【００５６】
複数のはんだボール１３０は、第１の層１０４および第２の層１０６を相互に接続する。次に、これらの接続は、複数のパッケージ・リード１２８へ電気的に接続される。図１および図２で示される第１の層１０４および第２の層１０６は、個別的には非封止層である。パッケージが一体化されるとき、第１の層１０４のベースは、はんだを使用して第２の層１０６のメタライズ面へ取り付けられ、第２の層１０６のために気密封止を形成する。次に、第１の層１０４のために気密封止を完成するため、蓋が第１の層１０４へ取り付けられる。これは、第２の遮へいベース１１０が、２つの層のために蓋およびベースとして作用することを可能にし、共有する遮へい層を有しない多層デバイスと比較して、パッケージ全体をかなり薄くすることができる。
【００５７】
第１の基板１１２および第２の基板１１４は、高温焼成基板、低温焼成基板、または厚膜基板のいずれかであることができる。第１の基板１１２および第２の基板１１４は同じタイプのアルミナから作られるが、各々の処理は異なる。好ましい実施形態によれば、高温焼成基板が使用されるが、それは３つのタイプの基板の中で最もロバストだからである。
【００５８】
第１の基板１１２および第２の基板１１４は、シアン酸エステルを使用して第１の層１０４および第２の層１０６へ取り付けられる。代替として、大量の熱散逸を必要とする応用では、より熱伝導性の接続を提供するためスライバーガラスまたはシルバーエポキシを使用することができる。
【００５９】
好ましい実施形態において、第１の層１０４および第２の層１０６は、高温はんだ（Ａｕ／Ｓｎ）を使用して取り付けられる。第１の放射線遮へい蓋１０２も、同じ熱膨張係数にするため高温はんだを使用して取り付けられる。これは、パッケージが、他のはんだが経験する従来のはんだ継手疲労およびクラック故障を経験しないようにする。高温はんだは熱サイクルに耐え、パッケージのはんだ継手の故障を防止する。代替として、パッケージ層は、Ｐｂ／Ｓｎ合金、はんだワイヤ、または導電性エポキシを使用して取り付けられてよい。しかし、高い機械的ひずみを経験する環境では、高温はんだの使用が好ましい。なぜなら、これはパッケージの故障を防止するからである。
【００６０】
本発明の１つの実施形態によれば、放射線遮へい蓋１０２を回路パッケージ１２０へ封止するために使用される封止リング（図示されず）の高さを調整することができる。これは、各々の層の中の空間を調整する手段を提供する。有利には、この特徴は、遮へいデバイスの各々の層の中で、複数の回路ダイのために高さを大きくする必要があるとき使用することができる。
【００６１】
次に図４を参照すると、セラミック・パッケージへ直接取り付けられた複数の電子回路ダイを放射線から遮へいするように設計された積層遮へいパッケージが示される。
【００６２】
図４は、第１の放射線遮へい蓋３０２、第２の放射線遮へい蓋３０４、第１の層３０６、第２の層３０８、遮へいベース３１０、第１の回路ダイ３１２、第２の回路ダイ３１４、第１の回路パッケージ３１６、第２の回路パッケージ３１８、第１の複数の導体３２０、第２の複数の導体３２２、複数のパッケージ・リード３２４、および複数のはんだボール３２６を示す。
【００６３】
第１の放射線遮へい蓋３０２は第１の回路パッケージ３１６へ結合されて、第１の回路ダイ３１２のためのキャビティを形成するる。第１の回路ダイ３１２は第１の回路パッケージ３１６へ結合される。第２の遮へい蓋３０４は第２の回路パッケージ３１８へ結合されて、第２の回路ダイ３１４のためのキャビティを形成する。第２の回路ダイ３１４は第２の回路パッケージ３１８へ結合される。次に、遮へいベース３１０が第２の回路パッケージ３１８の下部へ結合される。更に、複数のパッケージ・リード３２４が遮へいベース３１０へ結合される。第１の複数の導体３２０および第２の複数の導体３２２は、それぞれ第１の回路ダイ３１２および第２の回路ダイ３１４へ電気的に接続される。第１の複数の導体３２０および第２の複数の導体３２２も、複数のパッケージ・リード３２４へ電気的に接続される。複数のはんだボール３２６は、第１の回路パッケージ３１６を第２の回路パッケージ３１８へ結合する。
【００６４】
１つの実施形態において、第１の層３０６は、第１の放射線遮へい蓋３０２、第１の回路パッケージ３１６、および第１の回路ダイ３１２を含む。第２の層３０８は、第２の放射線遮へい蓋３０４、第２の回路パッケージ３１８、および第２の回路ダイ３１４を含む。有利には、第２の層３０８の第２の放射線遮へい蓋３０４は、第１の層３０６内の第１の回路ダイ３１２のために下部遮へい層を形成する。したがって、放射線遮へいベース３１０は、第２の放射線遮へい蓋３０４と組み合わせられて、第２の回路ダイ３１４を放射線から遮へいするように作用する。有利には、遮へいパッケージへ追加層を容易に追加することができる。したがって、本発明は、２つを超える層を有するように容易に製造可能である。２つ以上の層が存在するとき、放射線遮へいベース３１０は、最下部の層、例えば図３の第２の層３０８へ結合される。更に、複数のパッケージ・リード３２４が、最下部の層、例えば図２の第２の層１０６へ結合される。代替として、複数のパッケージ・リード３２４は、異なった層へ結合可能である。
【００６５】
第１の放射線遮へい蓋３０２、第２の放射線遮へい蓋３０４、および遮へいベース３１０は、図１および図２を参照して前に説明したように、全てが高Ｚ材料であるか、または高Ｚおよび低Ｚ材料の層である。第１の放射線遮へい蓋３０２、第２の放射線遮へい蓋３０４、および遮へいベース３１０は、第１の回路ダイ３１２および第２の回路ダイ３１４を放射線から遮へいするように選択された厚さを有する。厚さは、第１の回路ダイ３１２および第２の回路ダイ３１４が、第１の回路ダイ３１２および第２の回路ダイ３１４全許容線量よりも多い電離放射線の量へ露出されないように決定される。このプロセスは、図１および図２を参照して前に説明されている。
【００６６】
第１の層３０６および第２の層３０８は、気密封止された層である。これは、水分または他の化合物および化学物質が回路ダイと接触することを防止する。これは、回路デバイスの故障を防止する。例えば、水は回路ダイを腐食するか銀を引き寄せ、回路ダイ内の短絡を起こす可能性がある。本発明は、単層デバイスと比較して気密封止の長さを減少する。これは、気密封止の信頼性を大きく増加させ、デバイスの故障を防止する。
【００６７】
図５を参照すると、遮へい層へ直接取り付けられた複数の電子回路ダイを遮へいする多層遮へいパッケージが示される。
【００６８】
図５は、放射線遮へい蓋４０２、第１の層４０４、第２の層４０６、第１の遮へいベース４０８、第２の遮へいベース４１０、第１の回路ダイ４１２、第２の回路ダイ４１４、第１の回路パッケージ４１６、第２の回路パッケージ４１８、第１の複数の導体４２０、第２の複数の導体４２２、複数のパッケージ・リード４２４、および複数のはんだボール４２６を示す。
【００６９】
図５は、機能および構造において図２と類似する。しかし、図５は、第１の放射線遮へいベース４０８へ取り付けられた第１の回路ダイ４１２および第２の放射線遮へいベース４１０へ取り付けられた第２の回路ダイ４１４を示す。第１の層４０４は、第１の回路パッケージ４１６、第１の遮へいベース４０８、第１の回路ダイ４１２、および第１の複数の導体４２０を含む。第２の層４０６は、第２の回路パッケージ４１８、第２の遮へいベース４１０、第２の回路ダイ４１４、および第２の複数の導体４２２を含む。有利には、第１の放射線遮へいベース４０８は、第２の層４０６の蓋として作用する。更に、放射線遮へい蓋４０２が第１の層４０４へ結合され、複数のパッケージ・リード４２４が第２の層４０６へ結合される。複数のはんだボール４２６は第１の層４０４を第２の層４０６へ取り付ける。
【００７０】
図６を参照すると、基板へ直接取り付けられた複数の電子回路ダイを放射線から遮へいするように設計された積層遮へいパッケージが示される。
【００７１】
図６は、第１の放射線遮へい蓋５０２、第２の放射線遮へい蓋５０４、第１の層５０６、第２の層５０８、遮へいベース５１０、第１の複数の回路ダイ５１２、第２の複数の回路ダイ５１４、第１の回路パッケージ５１６、第２の回路パッケージ５１８、第１の複数の導体５２０、第２の複数の導体５２２、複数のパッケージ・リード５２４、複数のはんだボール５２６、第１の基板５２８、および第２の基板５３０を示す。
【００７２】
図６は、機能および構造において図４と類似している。しかし、図６は、第１の回路パッケージ５１６および第２の回路パッケージ５１８へそれぞれ結合された第１の基板５２８および第２の基板５３０を示す。第１の複数の回路ダイ５１２および第２の複数の回路ダイ５１４は、それぞれ第１の基板５２８および第２の基板５３０へ結合される。
【００７３】
図７を参照すると、基板へ直接取り付けられた複数の電子回路ダイを放射線から遮へいするように設計された積層遮へいパッケージが示される。
【００７４】
図７は、第１の放射線遮へい蓋６０２、第２の放射線遮へい蓋６０４、第１の層６０６、第２の層６０８、遮へいベース６１０、第１の複数の回路ダイ６１２、第２の複数の回路ダイ６１４、第１の回路パッケージ６１６、第２の回路パッケージ６１８、複数のパッケージ・リード６２４、複数のはんだボール６２６、第１の基板６２８、第２の基板６３０、第１の複数の基板はんだボール６３２、および第２の複数の基板はんだボール６３４を示す。
【００７５】
図７は、機能および構造において図６と類似している。しかし、図７は、第１の複数のはんだボール６３２で第１の回路パッケージ６１６へ取り付けられた第１の基板６２８を示す。第２の基板６３０は、第２の複数のはんだボール６３４で第２の回路パッケージ６１８へ取り付けられる。
【００７６】
図８を参照すると、基板へ直接取り付けられた複数の電子回路ダイを放射線から遮へいするように設計された積層遮へいパッケージが示される。
【００７７】
図８は、第１の放射線遮へい蓋７０２、第２の放射線遮へい蓋７０４、第１の層７０６、第２の層７０８、遮へいベース７１０、第１の複数の回路ダイ７１２、第２の複数の回路ダイ７１４、第１の回路パッケージ７１６、第２の回路パッケージ７１８、複数のパッケージ・リード７２４、複数のはんだボール７２６、第１の基板７２８、第２の基板７３０、第１の複数の基板はんだボール７３２、および第２の複数の基板はんだボール７３４を示す。
【００７８】
図８の積層遮へいパッケージは、機能および構造において図７と類似している。しかし、図８は、第１の層７０６のためにヒートシンクとして作用する第２の放射線遮へい蓋７０４を示す。第２の放射線遮へい蓋７０４は第１の回路パッケージ７１６に接触し、したがって第１の層７０６からの熱を散逸する。もしデバイスが大量の熱を生成するならば、第２の放射線遮へい蓋７０４は、第１の放射線遮へい蓋７０２または遮へいベース７１０のいずれかへ熱的に結合可能である。
【００７９】
この実施形態において、図９を参照して説明するような熱バイアを使用して、第１の放射線遮へい蓋７０２、第２の放射線遮へい蓋７０４、および遮へいベース７１０を熱的に接続することができる。次いで、回路基板のために大きなヒートシンクへ遮へいベース７１０を接続することができる。代替として、第１の放射線遮へい蓋は、大きなヒートシンクへ接続可能である。
【００８０】
更に、図８で示される各々の層は封止される。第１の層７０６および第２の層７０８のために、セラミック材料が使用される。したがって、第１の複数の回路ダイ７１２および第２の複数の回路ダイ７１４を含む空間へ水分が入ることは不可能である。これは、回路ダイの故障を防止する。もし水分が第１の複数の回路ダイ７１２および第２の複数の回路ダイ７１４のいずれかと接触することになれば、回路は故障するかもしれない。更に、水分は導体またはコンポーネント終端から銀の移動を誘発し、これは短絡およびデバイスの故障を起こす可能性がある。製造プロセスの間、非封止パッケージは水分または残留ガスを除去するため高温加熱手順へ供され、次に封止される。
【００８１】
図９を参照すると、複数の回路ダイを含む多層パッケージから熱を散逸するパッケージ・デバイスが示される。
【００８２】
図９は、蓋８０２、第１の層８０４、第２の層８０６、第１のベース８０８、第２のベース８１０、第１の基板８１２、第２の基板８１４、第１の複数の回路ダイ８１６、第２の複数の回路ダイ８１８、第１の回路パッケージ８２０、第２の回路パッケージ８２２、第１の複数の導体８２４、第２の複数の導体８２６、複数のパッケージ・リード８２８、複数のはんだボール８３０、第１の複数の熱バイア８３２、第２の複数の熱バイア８３４、および複数の熱層コネクタ８３６を示す。
【００８３】
複数のはんだボール８３０は、第１の複数の回路ダイ８１６を第２の複数の回路ダイ８１８へ電気的に接続するために使用される。代替として、第１の複数の回路ダイ８１６および第２の複数の回路ダイ８１８を接続するため、複数のキャステレーションが使用されるが、高い回路密度を必要とする応用では、複数のはんだボールが好ましい。
【００８４】
第１の複数の熱バイア８３２および第２の複数の熱バイア８３４は、それぞれ第１の基板８１２および第２の基板８１４を通して提供（フィードスルー）される。有利には、第１の複数の熱バイア８３２および第２の複数の熱バイア８３４は、それぞれ第１の複数の回路ダイ８１６および第２の複数の回路ダイ８１８へ接続される。次に、それらは第１の基板８１２および第２の基板８１４を通して提供（フィードスルー）され、蓋８０２、第１のベース８０８、および第２のベース８１０の１つまたは複数へ接続される。蓋８０２、第１のベース８０８、および第２のベース８１０は、更に、熱層コネクタ８３６を介して相互に接続可能である。この実施形態において、第２のベースは主なヒートシンクとして作用し、システムヒートシンクへ取り付け可能である。これによって、熱は第１の複数の回路ダイ８１６および第２の複数の回路ダイ８１８から散逸することができる。複数の熱層コネクタ８３６は、第１の複数の熱バイア８３２および第２の複数の熱バイア８３４を第２のベース８１０へ接続する。ベース８１０はパッケージ全体のヒートシンクとして作用する。大きなシステムヒートシンクを有するシステムで使用されたとき、第２の遮へいベース８１０は、大きなシステムヒートシンクへ接続可能である。有利には、熱バイアは、前に開示された実施形態の任意のもので利用可能である。
【００８５】
１つの実施形態において、パッケージ・デバイスはメモリ・モジュールとして動作する。したがって、デバイスは比較的小さい空間の中に大量のメモリを含むことができる。パッケージの設計は、複数の回路ダイによって生成された大量の熱の散逸を可能にする。
【００８６】
本発明のヒートシンク特徴は、更に、宇宙環境で利用可能である。宇宙環境では、部品の信頼性を確保するため、回路ダイに良好なヒートシンクを設けることが非常に重要である。宇宙環境では、熱の制御を助ける空気流がデバイス上に存在しないという更なる問題が生じる。したがって、良好なヒートシンクを有することは、回路ダイの所与の温度範囲内で動作することから回路ダイを妨げることで非常に重要となる可能性がある。
【００８７】
図１〜図９の実施形態に従って、多層パッケージの中へ電気的冗長性を組み込むことができる。例えば、多層パッケージの異なった層の上に冗長電子回路ダイを置くことができる。したがって、気密封止故障、温度故障、機械的故障、または放射故障のために層の１つが故障しても、バックアップ・デバイスが依然として動作する。これは、パッケージ全体の故障を防止する。１つの例において、上部層の回路ダイは、予期されない放射線量に起因して故障するかも知れないが、第２の層の冗長回路ダイは、追加遮へい層のために故障しない。
【００８８】
更に、図１〜図９に示される実施形態は、完全に追跡可能な回路ダイを有するデバイスを可能にする。回路ダイの異なったロットは、異なった放射線遮へい許容量を有し、したがってロットでデバイスを追跡可能にすることによって、高信頼性部品が可能となる。もし回路ダイの１つが故障すれば、製造へ遡ってそれを追跡することができ、同じロットの回路ダイを有する他の部品を全て特定することができる。
【００８９】
次に図１０を参照すると、本発明に従って高信頼性積層電子回路を作る方法が示される。説明される方法は、図１〜図９を参照して図示および説明された実施形態を作るために使用可能である。
【００９０】
最初に、第１のパッケージ層が１０００で形成される。次に、第２のパッケージ層が１００２で形成される。第１のパッケージ層および第２のパッケージ層は、本明細書で図１〜図９を参照して説明されている。一般的に、第１のパッケージ層および第２のパッケージ層は、回路パッケージ、回路パッケージへ結合された放射線遮へいベースまたは放射線遮へい蓋、および回路ダイを含む。幾つかの実施形態では、第１のパッケージ層および第２のパッケージ層は、基板へ結合された複数の回路ダイを含むことができる。更に、第１のパッケージ層および第２のパッケージ層は、回路ダイへ結合された複数の導体を含むことができる。
【００９１】
次に、第１のパッケージ層が、第２のパッケージ層へ結合される（１００４）。幾つかの実施形態では、第１のパッケージ層のベースは、第２のパッケージ層の蓋として作用する。理解すべきは、説明される方法に従って、多数の回路ダイを収容するため、より多くのパッケージ層を一緒に結合できることである。例えば、もし第１のパッケージ層および第２のパッケージ層が、回路パッケージ、放射線遮へいベース、および回路ダイを含むならば、類似した第３のパッケージ層を第２の層へ結合することができる。こうして、第２のパッケージ層のベースは、第３のパッケージ層の蓋として作用する。もし更に多くの層が所望されるならば、それらを類似の仕方で追加することができる。同様に、例えば、もし第１のパッケージ層および第２のパッケージ層が、回路パッケージ、放射線遮へい蓋、および回路ダイを含むならば、類似した第３のパッケージ層を第１のパッケージ層へ結合することができる。もし更に多くの層が所望されるならば、それらを第３のパッケージ層の上部の上に追加することができる。
【００９２】
次のステップは、１００６で、第１のパッケージ層または第２のパッケージ層へ、それぞれ蓋またはベースを結合することを含む。もし第１のパッケージ層および第２のパッケージ層が、放射線遮へいベースを有するように形成されるならば、蓋は第１のパッケージ層へ結合される。代替として、もし第１のパッケージ層および第２のパッケージ層が、放射線遮へい蓋を有するように形成されるならば、ベースは第２のパッケージ層へ結合される。
【００９３】
本明細書で開示された発明は、特定の実施形態および応用を使用して説明されたが、以下の特許請求の範囲によって限定される趣旨および範囲の中で本発明を実施するため、上記の教示に従って、しかし細かな説明には従わないで、本発明の他の修正、変形、および配列を行ってよい。
【図面の簡単な説明】
【００９４】
【図１】複数の電子回路ダイを放射線から遮へいするように設計された複数の層へ分離された遮へいパッケージを示す図である。
【図２】複数の層が組立てられた後の、図１の遮へいパッケージを示す図である。
【図３】本発明に従って積層遮へいパッケージに必要な遮へい量を決定する方法を示すフローチャートである。
【図４】セラミック・パッケージへ直接取り付けられる複数の電子回路ダイを放射線から遮へいするように設計された積層遮へいパッケージを示す図である。
【図５】遮へい層へ直接取り付けられる複数の電子回路ダイを放射線から遮へいするように設計された積層遮へいパッケージを示す図である。
【図６】基板へ直接取り付けられる複数の電子回路ダイを放射線から遮へいするように設計された積層遮へいパッケージを示す図である。
【図７】基板へ直接取り付けられる複数の電子回路ダイを放射線から遮へいするように設計された積層遮へいパッケージを示す図である。
【図８】基板へ直接取り付けられる複数の電子回路ダイを放射線から遮へいするように設計された積層遮へいパッケージを示す図である。
【図９】複数の回路ダイから熱を散逸するパッケージを示す図である。
【図１０】本発明に従って高信頼性積層電子回路デバイスを作る方法を示すフローチャートである。
【図１】
2007531981.tif 000003
【図２】
2007531981.tif 000004
【図３】
2007531981.tif 000005
【図４】
2007531981.tif 000006
【図５】
2007531981.tif 000007
【図６】
2007531981.tif 000008
【図７】
2007531981.tif 000009
【図８】
2007531981.tif 000010
【図９】
2007531981.tif 000011
【図１０】
2007531981.tif 000012
【国際調査報告】
2007531981.tif 000013